(57)【要約】      （修正有）【課題】効率的なデータ通信を行うことができる情報管理システムを提供する。【解決手段】情報管理システム１００は、圃場に対して作業を行う作業車両の位置を取得可能な位置取得部と、作業車両が行う作業を示す複数の作業情報から、状況をセンサで検出して記憶する対象の作業情報をユーザに選択させる選択部と、選択部において選択された作業情報を、位置取得部により得られた位置情報と関連付けて稼動情報として記憶する記憶部と、記憶部に記憶した稼動情報を管理サーバにネットワークを介して送信可能な通信処理部と、を備える。記憶部及び通信処理部は、ユーザが携帯可能な無線通信端末に設けられる。【選択図】図３
2020122997.tif 000002
【特許請求の範囲】
【請求項１】
圃場に対して作業を行う作業車両の位置を取得可能な位置取得部と、
前記作業車両が行う作業を示す複数の作業情報から、状況をセンサで検出して記憶する対象の作業情報をユーザに選択させる選択部と、
前記選択部において選択された作業情報を、前記位置取得部により得られた位置情報と関連付けて稼動情報として記憶する記憶部と、
前記記憶部に記憶した前記稼動情報を管理サーバにネットワークを介して送信可能な通信処理部と、
を備え、
前記記憶部及び前記通信処理部は、ユーザが携帯可能な無線通信端末に設けられていることを特徴とする情報管理システム。
【請求項２】
請求項１に記載の情報管理システムであって、
前記記憶部への前記稼動情報の記憶が開始される条件となる操作が、前記選択部において何れの作業情報が選択されるかに応じて異なることを特徴とする情報管理システム。
【請求項３】
請求項１又は２に記載の情報管理システムであって、
前記位置取得部により得られた位置情報に基づいて、前記圃場に予め設定されている走行経路に沿って前記作業車両を自動走行させることができる自動走行制御部を備え、
前記選択部において選択された作業情報が、前記作業車両の自動走行に関する作業情報である場合、前記稼動情報の記憶は、前記作業車両の自動走行を指示する操作を条件として開始されることを特徴とする情報管理システム。
【請求項４】
請求項１から３までの何れか一項に記載の情報管理システムであって、
前記圃場に対して前記作業車両が行う作業には、前記作業車両が備える植付部が前記圃場へ苗を植え付ける作業が含まれ、
前記選択部において選択された作業情報が、前記植付部の稼動状態に関する情報である場合、前記稼動情報の記憶は、前記植付部に植付作業を指示する操作を条件として開始されることを特徴とする情報管理システム。
【請求項５】
請求項１から４までの何れか一項に記載の情報管理システムであって、
前記稼動情報のほか、前記作業車両の位置を示す情報を含む管理情報を前記管理サーバに送信可能であり、
前記稼動情報は、前記管理情報とは異なる時間間隔で取得されることを特徴とする情報管理システム。
【請求項６】
請求項５に記載の情報管理システムであって、
前記管理情報は、前記無線通信端末とは異なる管理端末から前記管理サーバに送信され、
前記管理端末は前記作業車両に固定されていることを特徴とする情報管理システム。
【発明の詳細な説明】
【技術分野】
【０００１】
本発明は、情報管理システムに関する。
【背景技術】
【０００２】
従来から、圃場に対して作業車両が作業を実行する際に使用される情報管理システムが知られている。例えば特許文献１は、この種の情報管理システムを開示する。
【０００３】
特許文献１の農作業情報管理システムは、コンバインが圃場で農作業をした際に、農作業の状況を農作業情報として各種の測定部により把握し、同時に衛星測位システムによりコンバインの作業位置を検出する。得られた農作業情報と作業測位情報は、コンバインの制御装置に一時的に保存される。制御装置に保存された農作業情報は、管理サーバ等で構成される農作業情報管理装置に送信される。
【先行技術文献】
【特許文献】
【０００４】
【特許文献１】特許第５８８１５７３号公報
【発明の概要】
【発明が解決しようとする課題】
【０００５】
近年は、農業等の各業界の情報化、ビッグデータ活用の進展等に伴い、作業車両が行う作業においても一層詳細なデータが求められている。しかし、特許文献１のような構成においては、農作業情報として詳細な情報を得ようとするとデータ量が必然的に多くなり、管理サーバとの間での通信コストが増大するとともに、通信に時間が掛かってしまい、改善の余地が残されていた。
【０００６】
本発明は以上の事情に鑑みてされたものであり、その目的は、効率的なデータ通信を行うことができる情報管理システムを提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の情報管理システムが提供される。即ち、この情報管理システムは、位置取得部と、選択部と、記憶部と、通信処理部と、を備える。前記位置取得部は、圃場に対して作業を行う作業車両の位置を取得可能である。前記選択部は、前記作業車両が行う作業を示す複数の作業情報から、状況をセンサで検出して記憶する対象の作業情報をユーザに選択させる。前記記憶部は、前記選択部において選択された作業情報を、前記位置取得部により得られた位置情報と関連付けて稼動情報として記憶する。前記通信処理部は、前記記憶部に記憶した前記稼動情報を管理サーバにネットワークを介して送信可能である。前記記憶部及び前記通信処理部は、ユーザが携帯可能な無線通信端末に設けられている。
【０００９】
これにより、前記作業車両が行う作業について得られる複数の種類の作業情報のうち、ユーザが選択した情報だけについて、位置情報と作業情報が関連付けられた稼動情報を、無線通信端末を経由して管理サーバに送信することができる。従って、データ通信量及び通信時間の増大を抑制しながら、詳細な作業ログ情報を管理サーバにおいて管理することができる。
【００１０】
前記の情報管理システムにおいては、以下の構成とすることが好ましい。即ち、前記記憶部への前記稼動情報の記憶が開始される条件となる操作が、前記選択部において何れの作業情報が選択されるかに応じて異なる。
【００１１】
これにより、稼動情報を取得すべきタイミングが作業情報に応じて異なることを適切に考慮できるので、稼動情報を効率的に取得することができる。
【００１２】
前記の情報管理システムにおいては、以下の構成とすることが好ましい。即ち、この情報管理システムは、前記位置取得部により得られた位置情報に基づいて、前記圃場に予め設定されている走行経路に沿って前記作業車両を自動走行させることができる自動走行制御部を備える。前記選択部において選択された作業情報が、前記作業車両の自動走行に関する作業情報である場合、前記稼動情報の記憶は、前記作業車両の自動走行を指示する操作を条件として開始される。
【００１３】
これにより、作業車両の自動走行に関する稼動情報を適切な時間範囲で取得することができる。
【００１４】
前記の情報管理システムにおいては、以下の構成とすることが好ましい。即ち、前記圃場に対して前記作業車両が行う作業には、前記作業車両が備える植付部が前記圃場へ苗を植え付ける作業が含まれる。前記選択部において選択された作業情報が、前記植付部の稼動状態に関する情報である場合、前記稼動情報の記憶は、前記植付部に植付作業を指示する操作を条件として開始される。
【００１５】
これにより、植付部による植付作業に関する稼動情報を適切な時間範囲で取得することができる。
【００１６】
前記の情報管理システムにおいては、以下の構成とすることが好ましい。即ち、この情報管理システムは、前記稼動情報のほか、前記作業車両の位置を示す情報を含む管理情報を前記管理サーバに送信可能である。前記稼動情報は、前記管理情報とは異なる時間間隔で取得される。
【００１７】
これにより、２つの情報を、それぞれの目的等に応じた適切なデータ量で取得して、管理サーバに適切に保存することができる。
【００１８】
前記の情報管理システムにおいては、以下の構成とすることが好ましい。即ち、前記管理情報は、前記無線通信端末とは異なる管理端末から前記管理サーバに送信される。前記管理端末は前記作業車両に固定されている。
【００１９】
これにより、作業車両そのものの位置を把握するための管理情報については、作業車両に固定された管理端末から管理サーバに送信するため、合理的な通信を実現できる。また、管理端末を特別に設けることで、作業車両の管理の確実性を高めることができる。
【図面の簡単な説明】
【００２０】
【図１】本発明の一実施形態に係る自動走行システムに使用される田植機の側面図。
【図２】田植機の平面図。
【図３】自動走行システム及び管理サーバの機能ブロック図。
【発明を実施するための形態】
【００２１】
次に、図面を参照して本発明の実施形態を説明する。図１は、田植機１の側面図である。図２は、田植機１の平面図である。図３は、自動走行システム１００のブロック図である。
【００２２】
図１等に示す本実施形態の自動走行システム１００は、圃場で苗の植付けを行う田植機（作業車両）１に自動走行を行わせることができる。ここで、自動走行とは、少なくとも操舵を自動的に行って、事前に定められた走行経路に沿うように田植機１を走行させることを意味する。本実施形態では、無線通信端末７を用いてユーザが自動走行に関する設定を行い、その設定に基づいて田植機１が自動走行を行う。
【００２３】
自動走行システム１００は、田植機１を遠隔操作可能な無線通信端末７を備える。本実施形態において、無線通信端末７は、ユーザが田植機１に乗った状態で操作できるように、田植機１の適宜の位置に取り付けられている。ただし、無線通信端末７は、田植機１から取り外してユーザが携帯することもできる。
【００２４】
本実施形態においては、田植機１を管理する管理サーバ９が備えられている。管理サーバ９は、インターネットに接続されている。管理サーバ９は、自動走行システム１００との間で情報のやり取りを行って、各種の情報を管理する。従って、自動走行システム１００は、情報管理システムとして機能する。
【００２５】
初めに、本実施形態の田植機１について、図１から図３を参照して説明する。
【００２６】
図１及び図２に示すように、田植機１は、車体部１１と、左右１対の前輪１２と、左右１対の後輪１３と、植付部１４と、を備える。
【００２７】
車体部１１の前部に配置されたボンネット２１の内部には、エンジン２２が配置されている。エンジン２２が発生させた動力は、ミッションケース２３に伝達された後、前輪１２及び後輪１３に伝達される。ミッションケース２３に伝達された動力は、車体部１１の後部に配置されたＰＴＯ軸２４を介して植付部１４にも伝達される。
【００２８】
車体部１１の前後方向で前輪１２と後輪１３の間の位置には、運転座席２５が設けられている。運転座席２５には、ユーザが座ることができる。運転座席２５の前方には、ステアリングコラムが配置される。このステアリングコラムの上部には、ユーザが田植機１を操舵するための操舵ハンドル２６が配置されている。また、ステアリングコラムの脇には、ユーザが田植機１の車速を指示するために操作される変速ペダル２７が配置される。
【００２９】
植付部１４は、車体部１１の後方に昇降リンク機構３１を介して連結されている。昇降リンク機構３１は、公知の平行リンクにより構成されている。車体部１１と植付部１４は、昇降シリンダ３２により互いに連結されている。昇降シリンダ３２を伸縮させることにより、植付部１４全体を昇降させることができる。
【００３０】
植付部１４は、植付入力ケース３３と、複数の植付ユニット３４と、苗載台３５と、複数のフロート３６と、を主として備えている。
【００３１】
それぞれの植付ユニット３４は、植付伝動ケース４１と、回転ケース４２と、を備える。植付伝動ケース４１には、ＰＴＯ軸２４及び植付入力ケース３３を介して動力が伝達される。それぞれの植付伝動ケース４１には、車幅方向の両側に回転ケース４２が取り付けられている。それぞれの回転ケース４２には、２つの植付爪４３が取り付けられている。これらの２つの植付爪４３により、１条分の植付が行われる。
【００３２】
苗載台３５は、図１に示すように、植付ユニット３４の前上方に配置されている。苗載台３５には、苗マットを載せることができる。苗載台３５は、往復で横送り移動可能（横方向にスライド可能）に構成されている。また、苗載台３５は、当該苗載台３５の往復移動端で苗マットを間欠的に下方に縦送り搬送可能に構成されている。これにより、苗載台３５は、苗マットの苗を各植付ユニット３４に対して供給することができる。こうして、田植機１では、各植付ユニット３４に対して苗を順次供給し、連続的に苗の植付けを行うことができる。
【００３３】
図１に示すフロート３６は、植付部１４の下部に設けられ、その下面が地面に接触することができるように配置されている。フロート３６が地面に接触することにより、苗を植え付ける前の田面が整地される。また、フロート３６には、当該フロート３６の揺動角を検出する図略のフロートセンサが設けられている。フロート３６の揺動角は、地面と植付部１４の距離に対応している。田植機１は、フロート３６の揺動角に基づいて昇降シリンダ３２を動作させて植付部１４を上下に変位させることにより、植付部１４の対地高さを一定に保つことができる。
【００３４】
ボンネット２１の車幅方向外側には、予備苗台３８が配置されている。予備苗台３８には、予備のマット苗を収容した苗箱を搭載することができる。左右の予備苗台３８の上部同士は、上下方向及び車幅方向に延びる連結フレーム３７によって互いに連結されている。
【００３５】
連結フレーム３７の車幅方向の中央には、通信筐体３９が配置されている。通信筐体３９の内部には、測位アンテナ６１と、慣性計測装置６２と、通信アンテナ６３と、が配置されている。
【００３６】
測位アンテナ６１は、衛星測位システム（ＧＮＳＳ）を構成する測位衛星からの電波を受信することができる。この電波に基づいて公知の測位計算が行われることにより、田植機１の位置を取得することができる。
【００３７】
慣性計測装置６２は、３つのジャイロセンサ（角速度センサ）と３つの加速度センサを備える。この慣性計測装置６２が検出する田植機１の角速度及び加速度が補助的に用いられることで、測位アンテナ６１を用いた測位の精度が高められている。
【００３８】
通信アンテナ６３は、無線通信端末７と近距離無線通信を行うためのアンテナである。
【００３９】
次に、管理端末４について説明する。
【００４０】
管理端末４は、田植機１を遠隔で管理するための無線通信端末である。管理端末４は、田植機１の適宜の位置に固定されている。管理端末４の具体的な取付位置は図面に示していないが、容易に取外しができないように取り付けることが、田植機１の盗難防止等のために好ましい。
【００４１】
この管理端末４は、測位アンテナ４５と、通信アンテナ４６と、を備える。
【００４２】
測位アンテナ４５は、測位アンテナ６１と同様に、ＧＮＳＳの衛星電波を受信することができる。
【００４３】
通信アンテナ４６は、携帯電話回線及びインターネットを利用した通信を行うための携帯通信用アンテナである。
【００４４】
管理端末４は、測位アンテナ４５を用いてＧＮＳＳ測位を行った結果を、携帯電話回線を用いて、常時、管理サーバ９に管理情報として送信する。これにより、管理サーバ９において田植機１の現在位置を取得することができるので、作業の計画のために有用な情報を得ることができる。また、盗難の抑止効果が期待できる。
【００４５】
管理端末４は、田植機１の状態を示す付加情報を、田植機１の位置情報とともに送信する。付加情報は様々であるが、例えば、故障等の異常の発生の有無、残っている燃料量等の情報を挙げることができる。
【００４６】
次に、図３を参照して、田植機１の電気的構成を説明する。
【００４７】
図３に示すように、田植機１は、制御部（自動走行制御部）５０を備える。制御部５０は、記憶部５１と、走行制御部５２と、作業機制御部５３と、を備える。
【００４８】
具体的に説明すると、制御部５０は公知のコンピュータとして構成されており、図示しないＣＰＵ、記憶装置、入出力部等を備える。ＣＰＵは、各種プログラム等を記憶装置から読み出して実行することができる。記憶装置には、各種のプログラムやデータが記憶されている。そして、上記のハードウェアとソフトウェアの協働により、制御部５０を、記憶部５１、走行制御部５２、及び作業機制御部５３として動作させることができる。制御部５０は、１つのハードウェアであってもよいし、互いに通信可能な複数のハードウェアであってもよい。
【００４９】
制御部５０には、上記の慣性計測装置６２に加え、位置取得部６４と、通信処理部６５と、車速センサ６６と、舵角センサ６７と、が接続されている。これらの機器の接続は、例えば公知のＣＡＮ−ＢＵＳケーブルにより行うことができるが、これに限定されない。ＣＡＮとは、Ｃｏｎｔｒｏｌｌｅｒ  Ａｒｅａ  Ｎｅｔｗｏｒｋの略称である。
【００５０】
位置取得部６４は、測位アンテナ６１に電気的に接続されている。位置取得部６４は、測位アンテナ６１で受信した電波に基づく測位信号から、田植機１の位置を例えば緯度及び経度の情報として取得する。位置取得部６４は、図示しない基準局からの測位信号を適宜の方法で受信した上で、公知のＧＮＳＳ−ＲＴＫ法を利用して測位を行う。しかしながら、これに代えて、例えばディファレンシャルＧＮＳＳを用いた測位、又は単独測位等が行われてもよい。あるいは、無線ＬＡＮ等の電波強度に基づく位置取得等が行われてもよい。
【００５１】
通信処理部６５は、通信アンテナ６３に電気的に接続されている。この通信処理部６５は、適宜の方式で変調処理又は復調処理を行って、無線通信端末７との間でデータの送受信を行うことができる。このデータの送受信は、いわゆる近距離通信により行われる。
【００５２】
車速センサ６６は、田植機１の適宜の位置、例えば前輪１２の車軸に配置されている。車速センサ６６は、例えば車軸の回転に応じたパルスを発生させるように構成されている。車速センサ６６で得られた検出結果のデータは、制御部５０へ出力される。
【００５３】
舵角センサ６７は、前輪１２の舵角を検出するセンサである。舵角センサ６７は例えば前輪１２に設けられた図示しないキングピンに備えられている。舵角センサ６７で得られた検出結果のデータは、制御部５０へ出力される。なお、舵角センサ６７を操舵ハンドル２６に備える構成としてもよい。
【００５４】
走行制御部５２は、田植機１の車速制御及び操舵制御を行う。走行制御部５２は、車速制御と操舵制御を同時に行うこともできるが、何れか一方のみを行うこともできる。例えば、走行制御部５２が操舵制御のみを行う場合、車速はユーザが手動で操作する。
【００５５】
車速制御とは、予め定められた条件に基づいて田植機１の車速を調整する制御である。具体的には、走行制御部５２は、車速センサ６６の検出結果により得られた現在の車速が目標の車速に近づくように、ミッションケース２３内の変速装置の変速比、及び、エンジン２２の回転速度の少なくとも一方を変更する。なお、この車速制御には、車速をゼロにして田植機１を停止させる制御も含まれる。
【００５６】
操舵制御とは、予め定められた条件に基づいて田植機１の舵角を調整する制御である。具体的には、走行制御部５２は、舵角センサ６７の検出結果により得られた現在の舵角が目標の舵角に近づくように、例えば操舵ハンドル２６の回転軸（ステアリングシャフト）に設けられた操舵アクチュエータを駆動する。なお、走行制御部５２は、操舵ハンドル２６の回動角度ではなく、田植機１の前輪１２の操舵角を直接調整する構成であってもよい。
【００５７】
作業機制御部５３は、予め定められた条件に基づいて植付部１４の動作（昇降動作又は植付動作等）を制御可能である。
【００５８】
次に、管理端末４の電気的構成を説明する。
【００５９】
管理端末４は、制御部４８を備える。制御部４８は公知のコンピュータとして構成されており、図示しないＣＰＵ、記憶装置、入出力部等を備える。ＣＰＵは、各種プログラム等を記憶装置から読み出して実行することができる。
【００６０】
位置取得部４７は、測位アンテナ４５に電気的に接続されている。位置取得部４７は、測位アンテナ４５で受信した電波に基づく測位信号から、田植機１の位置を例えば緯度及び経度の情報として取得する。位置取得部４７においては、単独測位により田植機１の位置が取得される。
【００６１】
通信処理部４９は、通信アンテナ４６に電気的に接続されている。この通信処理部４９は、携帯電話回線を使って、インターネットを利用した通信を行う。
【００６２】
管理端末４の制御部４８は、管理情報の生成及び送信を行う。制御部４８は、例えばＣＡＮ−ＢＵＳケーブルにより田植機１の制御部５０と接続され、相互に通信することができる。制御部４８は、位置取得部４７によって取得した位置情報と、田植機１の制御部５０との間で通信することにより得た上述の付加情報と、を組み合わせて、管理情報を生成する。制御部４８は、生成した管理情報を、通信処理部４９を介して管理サーバ９に送信する。なお、位置情報には時刻情報が関連付けられてもよい。
【００６３】
次に、無線通信端末７の電気的構成を説明する。
【００６４】
無線通信端末７は、タブレット型のコンピュータである。無線通信端末７は、通信アンテナ７１と、通信処理部７２と、表示部７３と、操作部７４と、制御部８０と、を備える。なお、無線通信端末７はタブレット型のコンピュータに限るものではなく、スマートフォン又はノートパソコンであってもよい。無線通信端末７は、田植機１の自動走行に関する様々な処理を行うが、この処理の少なくとも一部を田植機１の演算装置が行うこともできる。逆に、田植機１が行う自動走行に関する様々な処理の少なくとも一部を無線通信端末７が行うこともできる。
【００６５】
通信アンテナ７１は、田植機１と無線通信を行うための近距離通信用のアンテナにより構成されている。ただし、通信アンテナ７１に、携帯電話回線及びインターネットを利用した通信を行うための携帯通信用アンテナが含まれても良い。
【００６６】
通信処理部７２は、通信アンテナ７１に電気的に接続されている。通信処理部７２は、適宜の方式で変調処理又は復調処理を行って、田植機１等との間でデータの送受信を行うことができる。
【００６７】
表示部７３は、液晶ディスプレイ又は有機ＥＬディスプレイ等であり、画像を表示可能に構成されている。表示部７３は、例えば、自動走行に関する情報、田植機１の設定に関する情報、各種センサの検出結果、及び警告情報等を表示することができる。
【００６８】
操作部７４は、タッチパネルと、ハードウェアキーと、を含んでいる。タッチパネルは、表示部７３を覆うように重ねて配置されており、ユーザの指等による操作を検出可能である。ハードウェアキーは、無線通信端末７の筐体の側面又は表示部７３の周囲等に配置されており、ユーザが押すことで操作することができる。なお、無線通信端末７は、タッチパネルとハードウェアキーの何れか一方のみを備える構成であってもよい。
【００６９】
制御部８０は、自動走行指示部８１と、記憶情報選択部８２と、記憶部８３と、記憶情報送信部８４と、を備える。
【００７０】
具体的に説明すると、制御部８０は公知のコンピュータとして構成されており、図示しないＣＰＵ、記憶装置、入出力部等を備える。ＣＰＵは、各種プログラム等を記憶装置から読み出して実行することができる。記憶装置には、各種のプログラムやデータが記憶されている。そして、上記のハードウェアとソフトウェアの協働により、制御部８０を、自動走行指示部８１、記憶情報選択部８２、記憶部８３、及び記憶情報送信部８４として動作させることができる。制御部８０の各部が行う処理は後述する。
【００７１】
次に、管理サーバ９の電気的構成を説明する。
【００７２】
管理サーバ９は、インターネットを介して無線通信端末７及び管理端末４と通信な公知のコンピュータである。管理サーバ９は、各種の情報を記憶可能な情報記憶部９１を備える。この情報記憶部９１は、田植機１の通信端末、及び、他の作業車両（例えばトラクタ又はコンバイン）の通信端末から管理サーバ９が受信したデータを記憶する。
【００７３】
田植機１、無線通信端末７及び管理端末４が行う処理の少なくとも一部を管理サーバ９が行ってもよい。また、田植機１、無線通信端末７及び管理端末４が記憶する情報の少なくとも一部を管理サーバ９が記憶してもよい。
【００７４】
次に、無線通信端末７の制御部８０が備える各種の構成について説明する。
【００７５】
自動走行指示部８１は、圃場に対して植付作業を行うために田植機１を自動走行させるための各種の準備処理をした上で、田植機１に対して自動走行の開始／終了の指示を行う。
【００７６】
具体的に説明すると、自動走行指示部８１は、ユーザが操作部７４を適宜操作することにより、上記の自動走行のための経路（走行経路）を、圃場の位置及び形状等の情報等に基づいて生成する。圃場の位置及び形状等の情報は、ユーザにより予め登録されている。
【００７７】
その後、自動走行指示部８１は、生成した走行経路の情報を田植機１の制御部５０に送信する。続いて、ユーザが操作部７４を操作して自動走行の開始を指示する。これにより、自動走行指示部８１は、通信処理部７２によって田植機１に自動走行開始信号を送信する。これを通信処理部６５によって受信した田植機１の制御部５０は、自動走行を開始させる。自動走行中の任意のタイミングで、ユーザは操作部７４を操作して自動走行の終了を指示することができる。これにより、自動走行指示部８１は、通信処理部７２によって田植機１に自動走行終了信号を送信する。これを通信処理部６５によって受信した田植機１の制御部５０は、自動走行を終了させる。
【００７８】
記憶情報選択部８２は、圃場に対して作業車両が行う作業の状況を示す情報のうち、無線通信端末７が取得して管理サーバ９に情報として出力する情報を選択することができる。
【００７９】
即ち、本実施形態の自動走行システム１００は、管理端末４が管理サーバ９に送信する情報とは別に、田植機１が行う作業に関する詳細な情報を各種のセンサによって取得し、当該情報を無線通信端末７にいったん記憶してから管理サーバ９に送信することができる。以下、この詳細な情報を、作業情報と呼ぶことがある。
【００８０】
作業情報としては、例えば、上述の自動走行に関する情報とすることが考えられる。以下では、この情報を自動走行情報と呼ぶことがある。自動走行情報には、例えば、慣性計測装置６２による田植機１の姿勢又は加速度、エンジン回転数、車速センサ６６の検出値、舵角センサ６７の検出値等を含めることができる。これらの情報は、慣性計測装置６２等の各種センサの検出結果に基づいて、測位アンテナ６１で取得された田植機１の位置に関連付けながら、短い時間間隔で順次取得される。以下では、こうして得られる一連のデータを自動走行ログ情報と呼ぶことがある。この自動走行ログ情報は、作業情報を位置情報に関連付けた作業ログ情報（稼動情報）の一種である。
【００８１】
作業情報としては、植付作業に関する情報とすることも考えられる。以下では、この情報を植付作業情報と呼ぶことがある。植付作業情報には、例えば、作業レバー２８の操作位置、植付部１４の高さ、フロートセンサの検出値等を含めることができる。これらの情報は、測位アンテナ６１で取得された田植機１の位置に関連付けながら、短い時間間隔で順次取得される。以下では、こうして得られる一連のデータを植付作業ログ情報と呼ぶことがある。この植付作業ログ情報は、作業ログ情報の一種である。
【００８２】
作業情報は、上記の例に限定されず、様々な情報とすることができる。作業情報と位置情報は、田植機１側で生成され、田植機１から無線通信端末７へ無線によって送信される。
【００８３】
ところで、管理端末４が管理サーバ９に送信する位置情報は、比較的長い周期（例えば、１秒に１回程度）で反復して取得される。一方、上述の詳細な作業情報は、比較的短い周期（例えば０．１秒に１回程度）で反復して取得することができる。従って、後の詳細な分析に適した情報量のデータをログとして取得することができる。例えば自動走行中の田植機１が何らかの原因で走行経路から大きくズレて停止した場合に、自動走行ログ情報を取得しておけば、そのときの状況を詳細に確認することができる。
【００８４】
記憶情報選択部８２は、ユーザが操作部７４を適宜操作することにより、表示部７３に、ユーザが取得したい作業情報を選択できるように、例えば一覧形式で表示する。ユーザは、表示されている一覧から、例えば自動走行情報を選択する。記憶情報選択部８２は、ユーザがどの作業情報を選択したかを記憶する。
【００８５】
記憶部８３は、ユーザが記憶情報選択部８２によって選択した作業情報を取得して、位置情報と作業情報の組を作業ログ情報として記憶する。作業ログ情報の取得開始／取得停止のタイミングは、記憶情報選択部８２によって設定された作業ログ情報の種類に応じて異なる。
【００８６】
例えば、自動走行ログ情報を取得する旨が記憶情報選択部８２によって選択されていた場合を考える。この場合、上述のようにユーザが自動走行の開始を指示し、自動走行指示部８１によって自動走行が開始されたことを条件として、記憶部８３への自動走行ログ情報の記憶が開始される。自動走行ログ情報の記憶部８３への蓄積は、自動走行の停止によって終了する。従って、自動走行中の田植機１の動作に関する詳細なデータを適切に取得することができる。
【００８７】
一方、植付作業ログ情報を取得する旨が記憶情報選択部８２によって選択されていた場合を考える。この場合、上述のようにユーザが作業レバー２８を操作して植付部１４の下降を指示したことを条件として、記憶部８３への植付作業ログ情報の記憶が開始される。植付作業ログ情報の記憶部８３への蓄積は、ユーザが作業レバー２８を操作して植付部１４の上昇を指示し、これに応じて植付部１４が所定の位置まで上昇すると、終了する。従って、植付作業が実質的に行われている間の田植機１の動作に関する詳細なデータを適切に取得することができる。
【００８８】
記憶情報送信部８４は、記憶部８３に記憶された作業ログ情報を、通信処理部７２を用いて管理サーバ９に送信する。
【００８９】
具体的には、無線通信端末７は、田植機１の植付部１４による植付作業の終了後には、ユーザの自宅等に持ち帰られる。そこで、無線通信端末７の記憶情報送信部８４は、管理サーバ９に送信すべき内容が記憶部８３に記憶されているときは、当該無線通信端末７が、事前に設定された無線ＬＡＮに接続されたか否かを監視する。無線通信端末７が無線ＬＡＮに接続されたことを検出すると、記憶情報送信部８４は、記憶部８３に記憶された作業ログ情報を管理サーバ９に送信する。作業ログ情報の送信が完了すると、記憶部８３に記憶されていた作業ログ情報は破棄される。
【００９０】
本実施形態では、記憶部８３に記憶された作業ログ情報は、無線通信端末７から管理サーバ９に自動的に送信される。これにより、送信忘れを防止し、ユーザの手間を軽減することができる。ただし、無線通信端末７の作業ログ情報の送信は、ユーザが操作部７４を操作して当該送信を指示することを条件として行われるようにしても良い。
【００９１】
作業ログ情報は、上述のように田植機１の詳細な情報を取得するものであり、また、ログを構成する作業情報を取得する時間間隔も短い。従って、作業ログ情報は、大容量のデータとなり易い。この点、本実施形態では、無線通信端末７にいったん作業ログ情報を記憶し、無線通信端末７から無線ＬＡＮを用いて管理サーバ９に送信している。従って、無線通信端末７の可搬性を活かして、大容量の作業ログ情報を管理サーバ９へ、極めて低い通信コストで高速に送信することができる。
【００９２】
管理サーバ９に作業ログ情報が保存された後、ユーザは、適宜のコンピュータを用いて管理サーバ９にログインすることにより、管理サーバ９の情報記憶部９１に記憶されたデータを閲覧することができる。これにより、データを適切に管理することができる。データの閲覧には、例えば、ユーザの自宅のパーソナルコンピュータ、あるいはユーザが携帯するスマートフォン等の携帯コンピュータを用いることができる。勿論、上述の無線通信端末７を用いて、管理サーバ９のデータを閲覧しても良い。
【００９３】
以上に説明したように、本実施形態の自動走行システム１００は、位置取得部６４と、記憶情報選択部８２と、記憶部８３と、通信処理部７２と、を備える。位置取得部６４は、圃場に対して作業を行う田植機１の位置を取得可能である。記憶情報選択部８２は、田植機１が行う作業を示す複数の作業情報から、状況をセンサで検出して記憶する対象の作業情報をユーザに選択させる。記憶部８３は、記憶情報選択部８２において選択された作業情報を、位置取得部６４により得られた位置情報と関連付けて作業ログ情報として記憶する。通信処理部７２は、記憶部８３に記憶した作業ログ情報を管理サーバ９にネットワークを介して送信可能である。記憶部８３及び通信処理部７２は、ユーザが携帯可能な無線通信端末７に設けられている。
【００９４】
これにより、田植機１が行う作業について得られる複数の種類の作業情報のうち、ユーザが選択した情報だけについて、位置情報と作業情報が関連付けられた作業ログ情報を、無線通信端末７を経由して管理サーバ９に送信することができる。従って、データ通信量及び通信時間の増大を抑制しながら、詳細な作業ログ情報を管理サーバ９において管理することができる。
【００９５】
また、本実施形態の自動走行システム１００において、記憶部８３への作業ログ情報の記憶が開始される条件となる操作が、記憶情報選択部８２において何れの作業情報が選択されるかに応じて異なる。
【００９６】
これにより、作業ログ情報を取得すべきタイミングが作業情報に応じて異なることを適切に考慮できるので、作業ログ情報を効率的に取得することができる。
【００９７】
また、本実施形態の自動走行システム１００は、位置取得部６４により得られた位置情報に基づいて、圃場に予め設定されている走行経路に沿って田植機１を自動走行させることができる制御部５０を備える。記憶情報選択部８２において選択された作業情報が、田植機１の自動走行に関する作業情報である場合、作業ログ情報の記憶は、田植機１に自動走行を指示するためにユーザが操作部７４に対して行う操作を条件として開始される。
【００９８】
これにより、自動走行を行っているときの作業ログ情報（自動走行ログ情報）を適切な時間範囲で取得することができる。
【００９９】
また、本実施形態の自動走行システム１００において、圃場に対して田植機１が行う作業には、田植機１が備える植付部１４が圃場へ苗を植え付ける作業が含まれる。記憶情報選択部８２において選択された作業情報が、植付部１４の稼動状態に関する情報である場合、作業ログ情報の記憶は、植付部１４に植付作業を指示する作業レバー２８の操作を条件として開始される。
【０１００】
これにより、植付作業を行っているときの作業ログ情報（植付ログ情報）を適切な時間範囲で取得することができる。
【０１０１】
また、本実施形態の自動走行システム１００においては、作業ログ情報のほか、田植機１の位置を示す情報を含む管理情報を管理サーバ９に送信可能である。作業ログ情報は、管理情報とは異なる時間間隔で取得される。
【０１０２】
これにより、目的の異なる２つの情報を、それぞれの目的に応じた適切なデータ量で取得して、管理サーバ９に適切に保存することができる。
【０１０３】
本実施形態の自動走行システム１００において、管理情報は、無線通信端末７とは異なる管理端末４から管理サーバ９に送信される。管理端末４は田植機１に固定されている。
【０１０４】
これにより、田植機１そのものの位置を把握するための管理情報については、田植機１に固定された管理端末４から管理サーバ９に送信するため、合理的な通信を実現できる。また、管理端末４を特別に設けることで、田植機１の管理の確実性を高めることができる。
【０１０５】
以上に本発明の好適な実施の形態を説明したが、上記の構成は例えば以下のように変更することができる。
【０１０６】
上記の実施形態では、無線通信端末７において作業ログ情報を記憶する際は、田植機１の位置情報及び作業情報が、田植機１から無線通信端末７に随時送信される。ただし、田植機１側の例えば記憶部５１を記憶バッファとして、ある程度のデータ量となるまで待機してから無線通信端末７にまとめて送信しても良い。
【０１０７】
無線通信端末７に記憶された作業ログ情報は、例えば、自宅等に備えたパーソナルコンピュータに有線（例えば、ＵＳＢケーブル）により送信した後、このパーソナルコンピュータから有線ＬＡＮを介して管理サーバに送信してもよい。
【０１０８】
自動走行の開始／停止の指示は、無線通信端末７ではなく、例えば田植機１側に設けた適宜の操作部材を操作することで行うように構成することもできる。
【０１０９】
上記の実施形態では、ユーザの乗車中において田植機１に自動走行を行わせる構成であるが、ユーザが乗車していない田植機１に自動走行を行わせることもできる。
【０１１０】
圃場に対して作業を行う限り、作業車両は田植機１に限定されない。本発明の情報管理システムを、例えばトラクタ、コンバインを用いて実現することもできる。
【０１１１】
前述の教示を考慮すれば、本発明が多くの変更形態及び変形形態をとり得ることは明らかである。従って、本発明が、添付の特許請求の範囲内において、本明細書に記載された以外の方法で実施され得ることを理解されたい。
【符号の説明】
【０１１２】
１  田植機（作業車両）
４  管理端末
７  無線通信端末
９  管理サーバ
１４  植付部
２８  作業レバー
５０  制御部（自動走行制御部）
６４  位置取得部
７２  通信処理部
８２  記憶情報選択部
８３  記憶部
１００  自動走行システム（情報管理システム）
【図１】
2020122997.tif 000003
【図２】
2020122997.tif 000004
【図３】
2020122997.tif 000005